Podtech/llm-jp-corpus-v4-ja_patent huggingface dataset:
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
１型糖尿病において過剰ＨｂＡ１ｃレベルを下げるのに使用するための医薬組成物であって、前記医薬組成物が
（ｉ）薬理学的有効量および／または治療有効量のヒトグルカゴン受容体に特異的に結合する単離アンタゴニスト性抗原結合タンパク質；および
（ｉｉ）薬学的に許容可能な担体
を含むことを特徴とする医薬組成物。
【請求項２】
インスリン補充を必要としない１型糖尿病の治療に使用するためのものであることを特徴とする、請求項１に記載の医薬組成物。
【請求項３】
請求項１に記載の医薬組成物において、インスリン補充を有する１型糖尿病の治療について、前記インスリン補充は、インスリン補充の正常な１日投与量の７０％〜９０％の間、５０％〜７０％の間、３０％〜５０％の間、１５％〜３０％の間、１０〜１５％の間、５〜１０％の間、および１〜５％の間からなる群より選択される用量を含むことを特徴とする医薬組成物。
【請求項４】
請求項１〜３のいずれか一項に記載の医薬組成物において、前記単離アンタゴニスト性抗原結合タンパク質が、完全ヒト抗体、ヒト化抗体、キメラ抗体、モノクローナル抗体、ポリクローナル抗体、組換え抗体、抗原結合性抗体断片、Ｆａｂ、Ｆａｂ’、Ｆａｂ２、Ｆａｂ’２、ＩｇＧ、ＩｇＭ、ＩｇＡ、ＩｇＥ、ｓｃＦｖ、ｄｓＦｖ、ｄＡｂ、ナノボディ、ユニボディ、ディアボディ、およびヘミボディからなる群より選択される単離抗体を含むことを特徴とする医薬組成物。
【請求項５】
請求項１〜４のいずれか一項に記載の医薬組成物において、前記単離アンタゴニスト抗体または抗原結合性抗体断片が少なくとも約１×１０−７Ｍ、少なくとも約１×１０−８Ｍ、少なくとも約１×１０−９Ｍ、少なくとも約１×１０−１０Ｍ、少なくとも約１×１０−１１Ｍ、または少なくとも約１×１０−１２Ｍの解離定数（ＫＤ）でヒトグルカゴン受容体に特異的に結合することを特徴とする医薬組成物。
【請求項６】
請求項５に記載の医薬組成物において、前記単離アンタゴニスト抗体が完全ヒト抗体であることを特徴とする医薬組成物。
【請求項７】
請求項６に記載の医薬組成物において、前記完全ヒト抗体が配列番号２の重鎖可変領域をコードするアミノ酸配列と配列番号３の軽鎖可変領域をコードするアミノ酸配列を備えるヒト抗ＧＣＧＲ抗体を含むことを特徴とする医薬組成物。
【請求項８】
請求項６に記載の医薬組成物において、前記完全ヒト抗体が配列番号４の重鎖可変領域をコードするアミノ酸配列と配列番号５の軽鎖可変領域をコードするアミノ酸配列を備えるヒト抗ＧＣＧＲ抗体を含むことを特徴とする医薬組成物。
【請求項９】
請求項６に記載の医薬組成物において、前記完全ヒト抗体が配列番号６の重鎖可変領域をコードするアミノ酸配列と配列番号７の軽鎖可変領域をコードするアミノ酸配列を備えるヒト抗ＧＣＧＲ抗体を含むことを特徴とする医薬組成物。
【請求項１０】
請求項６に記載の医薬組成物において、前記完全ヒト抗体が配列番号２８の重鎖可変領域をコードするアミノ酸配列と配列番号４７の軽鎖可変領域をコードするアミノ酸配列を備えるヒト抗ＧＣＧＲ抗体を含むことを特徴とする医薬組成物。
【請求項１１】
請求項６に記載の医薬組成物において、前記完全ヒト抗体が配列番号５１の重鎖をコードするアミノ酸配列および配列番号５２の軽鎖をコードするアミノ酸配列を備えるヒト抗ＧＣＧＲ抗体を含むことを特徴とする医薬組成物。
【請求項１２】
請求項１〜１１のいずれか一項に記載の医薬組成物において、前記単離アンタゴニスト性抗原結合タンパク質の前記治療有効量が一週間当たり体重に対して０．００１〜１００ｍｇ／ｋｇ、０．００１〜９０ｍｇ／ｋｇ、０．００１〜８０ｍｇ／ｋｇ、０．００１〜７０ｍｇ／ｋｇ、０．００１〜６０ｍｇ／ｋｇ、０．００１〜５０ｍｇ／ｋｇ、０．００１〜４０ｍｇ／ｋｇ、０．００１〜３０ｍｇ／ｋｇ、０．００１〜２０ｍｇ／ｋｇ、０．００１〜１０ｍｇ／ｋｇ、０．００１〜５ｍｇ／ｋｇ、０．００１〜４ｍｇ／ｋｇ、０．００１〜３ｍｇ／ｋｇ、０．００１〜２ｍｇ／ｋｇ、０．００１〜１ｍｇ／ｋｇ、０．０１０〜５０ｍｇ／ｋｇ、０．０１０〜４０ｍｇ／ｋｇ、０．０１０〜３０ｍｇ／ｋｇ、０．０１０〜２０ｍｇ／ｋｇ、０．０１０〜１０ｍｇ／ｋｇ、０．０１０〜５ｍｇ／ｋｇ、０．０１０〜４ｍｇ／ｋｇ、０．０１０〜３ｍｇ／ｋｇ、０．０１０〜２ｍｇ／ｋｇ、０．０１０〜１ｍｇ／ｋｇ、０．１〜５０ｍｇ／ｋｇ、０．１〜４０ｍｇ／ｋｇ、０．１〜３０ｍｇ／ｋｇ、０．１〜２０ｍｇ／ｋｇ、０．１〜１０ｍｇ／ｋｇ、０．１〜５ｍｇ／ｋｇ、０．１〜４ｍｇ／ｋｇ、０．１〜３ｍｇ／ｋｇ、０．１〜２ｍｇ／ｋｇ、０．１〜１ｍｇ／ｋｇ、０．５〜５０ｍｇ／ｋｇ、０．５〜４０ｍｇ／ｋｇ、０．５〜３０ｍｇ／ｋｇ、０．５〜２０ｍｇ／ｋｇ、０．５〜１０ｍｇ／ｋｇ、０．５〜５ｍｇ／ｋｇ、０．５〜４ｍｇ／ｋｇ、０．５〜３ｍｇ／ｋｇ、０．５〜２ｍｇ／ｋｇ、０．５〜１ｍｇ／ｋｇ、１〜５０ｍｇ／ｋｇ、１〜４０ｍｇ／ｋｇ、１〜３０ｍｇ／ｋｇ、１〜２０ｍｇ／ｋｇ、１〜１０ｍｇ／ｋｇ、１〜５ｍｇ／ｋｇ、１〜４ｍｇ／ｋｇ、１〜３ｍｇ／ｋｇ、１〜２ｍｇ／ｋｇ、および０．１ｍｇ／ｋｇ〜１ｍｇ／ｋｇからなる群より選択されることを特徴とする医薬組成物。
【請求項１３】
ＨｂＡ１ｃレベルを下げることにより、Ｔ１Ｄに関連する１つ以上の症状を軽減、抑制、減弱化、または阻止するのに使用するための医薬組成物であって、前記医薬組成物が
（ｉ）薬理学的有効量および／または治療有効量のヒトグルカゴン受容体に特異的に結合する単離アンタゴニスト性抗原結合タンパク質；および
（ｉｉ）薬学的に許容可能な担体
を含むことを特徴とする医薬組成物。
【請求項１４】
請求項１３に記載の医薬組成物において、前記１つ以上の症状が、過剰糖新生、過剰グリコーゲン分解、高血糖症、高グルカゴン血症、ケトン症、糖尿病性ケトアシドーシス、高トリグリセリド血症、血漿中遊離脂肪酸濃度上昇、体重減少、異化作用不全症候群、末期疾患、高血圧症、糖尿病性腎症、腎機能不全、腎不全、過食症、筋肉消耗、糖尿病性神経障害、糖尿病性網膜症、または糖尿病性昏睡、過剰ＨｂＡ１ｃレベル、多飲症（口渇感増長）、口内乾燥症（ドライマウス）、過食症（空腹感増長）、多尿症（頻尿）、および疲労からなる群より選択されることを特徴とする医薬組成物。
【請求項１５】
請求項１３または１４に記載の医薬組成物において、インスリン補充を必要としないことを特徴とする医薬組成物。
【請求項１６】
Ｔ１Ｄにおける膵臓内分泌細胞の機能を回復させるのに使用するための医薬組成物であって、前記医薬組成物が
（ｉ）薬理学的有効量および／または治療有効量のヒトグルカゴン受容体に特異的に結合する単離アンタゴニスト性抗原結合タンパク質；および
（ｉｉ）薬学的に許容可能な担体
を含むことを特徴とする医薬組成物。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
式（Ｉ）に示される構造を有する化合物：
【化１】
2017522383.tif 000001
式中、Ｒ1が−（ＣＨ2）ｍ−Ｒ4であり、ここでｍ＝０または１であり、Ｒ4はＣ1-10アルキル、
【化２】
2017522383.tif 000002
で構成されたグループから選択され、
式中、各Ｒ5は独立してＨ、ヒドロキシル、Ｃ1-10アルキル、Ｃ1-10アルコキシル、Ｃ1-10ヒドロキシアルキル、Ｃ1-10アルキルオキシアルキル、ＮＨ2、ＮＨＲ6、−Ｒ7−Ｏ（Ｃ＝Ｏ）−Ｒ8、−Ｒ7−（Ｃ＝Ｏ）Ｘ−Ｒ8、−Ｒ7−ＯＰＯ3Ｍ1Ｍ2、
【化３】
2017522383.tif 000003
であり、
式中、Ｒ6はＣ1-10アルキル、フェニル、−（Ｃ＝Ｏ）−Ｃ1-6アルキルまたは−（Ｃ＝Ｏ）−フェニルであり、
各Ｒ7とＲ9は独立して存在せずまたはＣ1-10アルキレンであり、
各Ｒ8は独立してＨ、ヒドロキシル、金属またはＣ1-10アルキル、−Ｃ1-10アルキレン、−ＮＲ10Ｒ11または−ＯＰＯ3Ｍ1Ｍ2であり、
各Ｒ10とＲ11は独立してＨ、Ｃ1-10アルキル（例えばＣ1-6アルキル）または置換Ｃ1-10アルキル（例えばＣ1-6アルキル）であり、
各Ｍ1とＭ2は独立してＨまたは金属であり、
Ｘは存在せずまたはＯであり、
Ｙは存在せずまたは−（Ｃ＝Ｏ）−であり、
Ｚは存在せずまたはＯであり、
および各Ｒ2とＲ3は独立してＣ1-10アルキル、Ｃ1-10アルケニル、Ｃ1-10ヒドロキシアルキル、Ｃ1-10アルコキシアルキル、アリール、Ｃ1-10アラルキル、ヘテロアリール、Ｃ1-10ヘテロアラルキル、ヘテロシクリル、Ｃ1-10ヘテロシクロアルキル、カルボシクリルおよびＣ1-10カルボシクロアルキルであり、
式中、Ｒ1が
【化４】
2017522383.tif 000004
であり、Ｒ2がイソブチルである場合、Ｒ3は４−ピリジルメチルではない、化合物、または、そのエナンチオマー、ジアステレオマー、互変異性体、医薬的に許容される塩、溶媒和物、若しくはプロドラッグ。
【請求項２】
請求項１に記載の化合物であって、式（ＩＩ）に示される構造を有する、化合物。
【化５】
2017522383.tif 000005
【請求項３】
請求項１または２に記載の化合物であって、Ｒ4はメチル、
【化６】
2017522383.tif 000006
で構成されたグループから選択される、化合物。
【請求項４】
請求項１または２に記載の化合物であって、Ｒ2はＣ1-10アルキル、Ｃ1-10アルコキシアルキル、アリール、ヘテロアリール、Ｃ1-10アラルキルまたはＣ1-10ヘテロアラルキルである、化合物。
【請求項５】
請求項４に記載の化合物であって、Ｒ2はメチル−オキシ−メチル、４−ピリジルメチル、イソブチル、ベンジルまたは４−チアゾリル−メチルである、化合物。
【請求項６】
請求項１または２に記載の化合物であって、Ｒ3はＣ1-10アルキル、アリール、ヘテロアリール、Ｃ1-10アラルキルまたはＣ1-10ヘテロアラルキルである、化合物。
【請求項７】
請求項６に記載の化合物であって、Ｒ3はイソブチル、４−ピリジルメチルまたはベンジルである、化合物。
【請求項８】
以下に示す構造を有する化合物：
【化７】
2017522383.tif 000007
2017522383.tif 000008
2017522383.tif 000009
または、その薬学的に許容される塩、溶媒和物、若しくはプロドラッグ。
【請求項９】
医薬組成物であって、請求項１−８のいずれか一項に記載の化合物および薬学的に許容される担体を含む、医薬組成物。
【請求項１０】
２０Ｓプロテアソームの触媒活性を特異的に阻害することに用いるための医薬組成物であって、請求項１−８のいずれか一項に記載の化合物の治療有効量を含む、医薬組成物。
【請求項１１】
請求項１０に記載の医薬組成物であって、２０ＳプロテアソームのＣＴ−Ｌ活性とＴ−Ｌ活性が同時に阻害される、医薬組成物。
【請求項１２】
プロテアソーム関連疾患または状態を治療することに用いるための医薬組成物であって、請求項１−８のいずれか１項に記載の化合物の治療有効量を含む、医薬組成物。
【請求項１３】
請求項１２に記載の医薬組成物であって、化合物は非経口経路により投与される、医薬組成物。
【請求項１４】
請求項１３に記載の医薬組成物であって、化合物は皮下、静脈内、筋肉内、動脈内、髄腔内、嚢内、胸腔内、眼窩内、心臓内、皮内、腹腔内、経気管、表皮下、関節内、嚢下、くも膜下腔内、胸骨内、胸骨内または輸液によって投与される、医薬組成物。
【請求項１５】
請求項１２に記載の医薬組成物であって、化合物は非経口経路を介して投与される、医薬組成物。
【請求項１６】
請求項１５に記載の医薬組成物であって、化合物は経口、経腸、口腔、経鼻、鼻腔内、経粘膜、表皮、経皮、皮膚、眼科、肺、舌下、直腸、膣または局所に投与される、医薬組成物。
【請求項１７】
請求項１−８のいずれか一項に記載の化合物の使用であって、２０Ｓプロテアソーム関連疾患または状態を治療することに用いるための医薬の製造における、使用。
【請求項１８】
請求項１２に記載の医薬組成物または請求項１７の使用であって、２０Ｓプロテアソーム関連疾患または状態は癌、神経毒性／変性疾患、アルツハイマー病、虚血性状態、炎症、免疫関連疾患、ＨＩＶ感染、臓器移植片拒絶、敗血症性ショック、抗原提示の阻害、ウイルス遺伝子発現の減少、寄生虫感染症、アシドーシスに関連する状態、黄斑変性症、肺疾患、筋肉消耗疾患、線維性疾患、骨および育毛疾患で構成されたグループから選択されることを特徴とする、医薬組成物または使用。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
毒性のある疾患誘導性ＲＮＡの機能のモジュレーターであって、
前記疾患が、筋緊張性ジストロフィー２型（ＤＭ２）または筋緊張性ジストロフィー１型（ＤＭ１）であり、
前記ＲＮＡが、各々、ＲＮＡ伸長リピート配列ｒ（ＣＣＵＧ）ｅｘｐまたはＲＮＡ伸長リピート配列ｒ（ＣＵＧ）ｅｘｐによって形成される隣接する内部ループを含む、伸長したリピート配列を含み、
前記モジュレーターが、一つの細胞透過性ＲＮＡ伸長リピート配列結合モジュールであって、アルキンとアジドの両方の部分を含む、細胞透過性ＲＮＡ伸長リピート配列結合モジュールの縮合反応から、または、一対の細胞透過性ＲＮＡ伸長リピート配列結合モジュールであって、第１のモジュールがアルキン部分を含み、第２のモジュールがアジド部分を含む、一対の細胞透過性ＲＮＡ伸長リピート配列結合モジュールの縮合反応から、生細胞内でインサイチュで形成されるＲＮＡに結合するオリゴマーを含み、
前記縮合反応が、前記ＲＮＡ伸長リピートに結合したモジュール間で前記アルキン部分とアジド部分との間の１，３ヒュスゲン双極子付加環化反応によって起こり、
前記細胞透過性モジュールがＮ３−Ｋ−Ａｋ、またはＮ３−Ｋ−ＡａＫであるか、あるいは、一緒に使用される一対の細胞透過性モジュールがＮ３−ＫとＫ−Ａｋである、モジュレーター。
【請求項２】
前記毒性のあるＲＮＡと結合した請求項１に記載のモジュレーターを形成する方法であって、
一つの細胞透過性ＲＮＡ伸長リピート配列結合モジュールであって、前記細胞透過性モジュールがアルキン部分とアジド部分の両方を含む、細胞透過性ＲＮＡ伸長リピート配列結合モジュールに、または、一対の細胞透過性ＲＮＡ伸長リピート配列結合モジュールであって、第１のモジュールがアルキン部分を含み、第２のモジュールがアジド部分を含む、一対の細胞透過性ＲＮＡ伸長リピート配列結合モジュールに、前記毒性のあるＲＮＡを含む前記生細胞を曝露する工程を含み、
前記細胞透過性モジュールがＮ３−Ｋ−Ａｋ、またはＮ３−Ｋ−ＡａＫであるか、あるいは、一緒に使用される一対の細胞透過性モジュールがＮ３−ＫとＫ−Ａｋである、方法。
【請求項３】
毒性のある疾患誘導性ＲＮＡを切断する方法であって、
前記ＲＮＡが伸長リピート配列を含み、
前記モジュレーターが、核酸切断部分をさらに含む、請求項１に記載のモジュレーターを含む、方法。
【請求項４】
前記核酸切断部分がブレオマイシンの誘導体である、請求項３に記載の方法。
【請求項５】
ｒ（ＣＣＵＧ）ｅｘｐ伸長リピート配列を含む毒性のあるＲＮＡの存在下で誘導される筋緊張性ジストロフィー２型（ＤＭ２）、または、ｒ（ＣＵＧ）ｅｘｐ伸長リピート配列を含む毒性のあるＲＮＡの存在下で誘導される筋緊張性ジストロフィー１型（ＤＭ１）を患者において処置するための医薬組成物であって、
請求項１に記載のモジュレーターを患者の細胞中で形成する、一つの細胞透過性ＲＮＡ伸長リピート配列結合モジュールまたは一対の細胞透過性ＲＮＡ伸長リピート配列結合モジュールを含む、前記医薬組成物。
【請求項６】
前記モジュレーターが核酸切断部分をさらに含む、請求項５に記載の医薬組成物。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
治療有効量のクロストリジウム誘導体及び少なくとも１つの透過化剤を含む医薬組成物であって、前記少なくとも１つの透過化剤が、前記クロストリジウム誘導体に対する膀胱壁の透過性を可逆的に増加させるのに有効な量で存在する、前記医薬組成物。
【請求項２】
前記クロストリジウム誘導体がボツリヌス毒素であり、前記少なくとも１つの透過化剤が、界面活性剤及び粘膜接着剤を含む、請求項１に記載の医薬組成物。
【請求項３】
前記界面活性剤が非イオン界面活性剤であり、前記粘膜接着剤がカチオンポリマーである、請求項２に記載の医薬組成物。
【請求項４】
前記界面活性剤が非イオン界面活性剤を含む、請求項２に記載の医薬組成物。
【請求項５】
前記界面活性剤がアルキルアリールポリエーテルを含む、請求項２に記載の医薬組成物。
【請求項６】
前記粘膜接着剤が、キトサン、キトサン類似体、キトサン誘導体、またはそれらの組合せを含む、請求項２に記載の医薬組成物。
【請求項７】
前記界面活性剤が、０．０１％から０．５％（ｗ／ｖ）の範囲の量で存在する、請求項２に記載の医薬組成物。
【請求項８】
前記粘膜接着剤が、０．０１％から５％（ｗ／ｖ）の範囲の量で存在する、請求項５に記載の医薬組成物。
【請求項９】
前記クロストリジウム誘導体がボツリヌス毒素である、請求項１に記載の医薬組成物。
【請求項１０】
前記界面活性剤がオクトキシノール−９を含む、請求項２に記載の医薬組成物。
【請求項１１】
前記界面活性剤がノノキシノール−９を含む、請求項２に記載の医薬組成物。
【請求項１２】
前記界面活性剤が、０．１％（ｗ／ｖ）の量で存在する、請求項１０に記載の医薬組成物。
【請求項１３】
前記界面活性剤が、０．１％（ｗ／ｖ）の量で存在する、請求項１１に記載の医薬組成物。
【請求項１４】
治療有効量のクロストリジウム誘導体、及び
ボツリヌス神経毒素に対する膀胱壁の透過性を治療上有効な速度で増加させるのに有効な量で存在する少なくとも１つの透過化剤
を含む、神経因性膀胱機能障害の患者を治療するための医薬組成物であって、
前記患者の膀胱壁に膀胱内注入される、前記医薬組成物。
【請求項１５】
前記少なくとも１つの透過化剤が、界面活性剤及び粘膜接着剤を含む、請求項１４に記載の医薬組成物。
【請求項１６】
前記界面活性剤が非イオン界面活性剤を含む、請求項１５に記載の医薬組成物。
【請求項１７】
前記粘膜接着剤が、キトサン、キトサン類似体、キトサン誘導体、またはそれらの組合せを含む、請求項１５に記載の医薬組成物。
【請求項１８】
前記非イオン界面活性剤がアルキルアリールポリエーテルを含む、請求項１６に記載の医薬組成物。
【請求項１９】
前記粘膜接着剤が、高分子ポリフェノールを含む、請求項１５に記載の医薬組成物。
【請求項２０】
前記粘膜接着剤が、高分子ポリチオールを含む、請求項１５に記載の医薬組成物。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
（メタ）アクリル酸を対応するアルコールで直接エステル化してＣ４−Ｃ１０アルキル（メタ）アクリレートを製造する方法であって、反応水をエステル化アルコールとの共沸混合物の形で、触媒としてのカチオン性樹脂を含むエステル化反応器の上部に配置された蒸留塔から除去し、反応器入口におけるアルコール／酸のモル比が１．４から３の間であり、粗製反応混合物が、反応器と水を除去する塔とを一緒に連結する再循環ループ内で、精製処理に送られる流れに対するループに導かれる流れの重量比によって表される、６から２５の範囲の再循環比率で、循環することを特徴とする該方法。
【請求項２】
反応器入口におけるアルコール／酸のモル比は１．８から２．３の間であることを特徴とする請求項１に記載の方法。
【請求項３】
再循環比率は１０から２０の間であり、精製処理に送られる流れに対するループに導かれる流れの重量比によって表されることを特徴とする請求項１または２に記載の方法。
【請求項４】
再循環比率は１０から１５の間であり、精製処理に送られる流れに対するループに導かれる流れの重量比によって表されることを特徴とする請求項１または２に記載の方法。
【請求項５】
酸がアクリル酸であることを特徴とする請求項１から４のいずれか一項に記載の方法。
【請求項６】
アルコールは、ブタノール、２−エチルヘキサノール、ｎ−オクタノール、２−オクタノール、ｎ−デカノールおよび２−プロピルヘプタノール、好ましくは２−エチルヘキサノールまたは２−オクタノールであることを特徴とする請求項１から５のいずれか一項に記載の方法。
【請求項７】
アルコールは、２−エチルヘキサノールまたは２−オクタノールであることを特徴とする請求項１から６のいずれか一項に記載の方法。
【請求項８】
反応物質供給物の総体積流量に対する樹脂の体積の比で表される、触媒樹脂と接触している粗製反応混合物の総滞留時間は、２時間から６時間の間、好ましくは２．５時間から５時間の間であることを特徴とする請求項１から７のいずれか一項に記載の方法。
【請求項９】
少なくとも以下の工程：
（ｉ）  以下を得るために粗製反応混合物をトッピング塔中で蒸留に供する工程；
ｏ  頂部で、未反応の反応物質から本質的になる流れ、
ｏ  底部で、必要なエステル、酸およびアルコールに関連する不純物、ならびに重質副生成物を含む流れ
（ｉｉ）以下を分離するために底部流をトッピング塔から精留塔に導く工程：
ｏ  頂部で、必要とされる精製エステル、
ｏ  底部で、酸およびアルコールに関連する不純物ならびに重質副生成物を含む流れであって、存在する軽質化合物を精留塔にリサイクルさせ、重質副生成物の最終残渣を除去するために薄膜蒸発器上で濃縮されるか、またはテーリング塔で蒸留される流れ
を含む、再循環ループを出る粗製反応混合物の精製処理をさらに含むことを特徴とする請求項１から８のいずれか一項に記載の方法。
【請求項１０】
トッピング塔の操作条件は、酸に関連する不純物を少なくとも部分的に同伴するように調節されることを特徴とする請求項９に記載の方法。
【請求項１１】
トッピング塔からの底部流は、工程（ｉｉ）でそれが精留塔に送られる前に水性流による洗浄工程（ｉ）ａに供されることを特徴とする請求項９または１０に記載の方法。
【請求項１２】
洗浄工程（ｉ）ａによりデカンテーション後に以下
ｏ  （メタ）アクリル酸に関連する全ての不純物を含む水相、および
ｏ  必要なエステル、重質副生成物ならびに微量の水および（メタ）アクリル酸を含む有機相
を得ることが可能になり、有機相が水の除去後に工程（ｉｉ）に供されることを特徴とする請求項１１に記載の方法。
【請求項１３】
トッピング工程（ｉ）の前に重質副生成物の一部を分離するためにテーリング塔内で粗製反応混合物を蒸留する工程が行われることを特徴とする請求項９から１２のいずれか一項に記載の方法。
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
下記式1
【化１】
2017522350.tif 000001
1
(式中、
R1は、CNで置換され、かつ
第2の置換基R1.1で置換されたフェニルであり、
R1.1は、-SO2-CH3、-SO-CH3、-CH2-OH、-SO2-CH2CH2-OH、-SO2-CH2CH2-OCH3及び-SO2-CH2CH2CH2-OHから成る群より選択され、
R2は、CF3で置換されたフェニルであり、
R3は、H、CH3、-CO-NH-CH3、-CH2CH2-OH及び-CH2-オキセタンから成る群より選択される）
の化合物又はその医薬的に許容できる塩
（但し、式1の化合物は、下記化合物
【化２】
2017522350.tif 000002
から成る群より選択される化合物でない）。
【請求項２】
R1が、CNで置換され、かつ
第2の置換基R1.1で置換されたフェニルであり、
R1.1が、-SO2-CH3、-SO-CH3及び-SO2-CH2CH2-OHから成る群より選択され、
R2が、CF3で置換されたフェニルであり、
R3が、H、CH3及び-CH2CH2-OHから成る群より選択される、
請求項1に記載の式1の化合物又はその医薬的に許容できる塩。
【請求項３】
R1.1が-SO2-CH3である、
請求項1又は2に記載の式1の化合物又はその医薬的に許容できる塩。
【請求項４】
R1.1が-SO-CH3である、
請求項1又は2に記載の式1の化合物又はその医薬的に許容できる塩。
【請求項５】
下記化合物1.a〜1.d
【化３】
2017522350.tif 000003
から成る群より選択される、
請求項1に記載の式1の化合物。
【請求項６】
式1の立体配置が下記式1'である、
【化４】
2017522350.tif 000004
1'
請求項1〜5のいずれか1項に記載の化合物又はその医薬的に許容できる塩。
【請求項７】
請求項1〜6のいずれか1項に記載の式1の1種以上の化合物又はその医薬的に活性な塩を含有することを特徴とする医薬組成物。
【請求項８】
喘息、アレルギー性疾患、胃腸の炎症性疾患、糸球体腎炎、好酸球性疾患、慢性閉塞性肺疾患、病原微生物による感染症又は関節リウマチの治療のための請求項７に記載の医薬組成物。
【請求項９】
好中球性疾患、嚢胞性線維症(CF)、非嚢胞性線維症、特発性肺線維症、気管支拡張症、ANCA関連血管炎、肺癌、非嚢胞性線維性気管支拡張症、肺気腫、慢性気管支炎、急性肺傷害(ALI)、急性呼吸促迫症候群(ARDS)、肺高血圧症、肺動脈性肺高血圧症(PAH)又はα1-アンチトリプシン欠乏症(AATD.)の治療のための請求項７に記載の医薬組成物。
【請求項１０】
肥満症もしくは関連炎症、インスリン抵抗性、糖尿病、脂肪肝又は肝脂肪過多症の治療のための請求項７に記載の医薬組成物。
【請求項１１】
外傷性脳損傷、腹部大動脈瘤又は移植片対宿主病(GvHD)の治療のための請求項７に記載の医薬組成物。
【請求項１２】
好中球エラスターゼ阻害薬が治療利益を有する疾患の治療又は予防ための請求項７に記載の医薬組成物であって、治療的又は予防的に有効な量の請求項1〜6のいずれか1項に記載の式1の化合物を含む前記医薬組成物。
【請求項１３】
請求項1〜6のいずれか1項に記載の式1の化合物に加えて、ベータミメティック、抗コリン薬、コルチコステロイド、PDE4阻害薬、LTD4拮抗薬、EGFR阻害薬、カテプシンC阻害薬、CRTH2阻害薬、5-LO阻害薬、ヒスタミン受容体拮抗薬及びSYK阻害薬から成る群より選択される医薬的に活性な化合物、又は2若しくは3種の活性物質の組合せを含む医薬組成物。
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、前記方法は、
前記ＵＥが半永続的スケジューリング（ＳＰＳ）モードにあるとき、間欠受信（ＤＲＸ）サイクルのオン持続時間中に、パケットを受信することと、
前記パケットが正常に復号されないとき、否定応答（ＮＡＣＫ）メッセージを送信することと、
前記パケットが正常に復号されたとき、肯定応答（ＡＣＫ）メッセージを送信することを控えることと、ここにおいて、前記ＵＥがそれのカバレージエリアのエッジに対して遠位に位置するとき、前記パケットが、バンドルされたサブフレーム中で受信される、
を備える、方法。
【請求項２】
前記パケットがユニキャストメッセージ中で前記ＵＥにアドレス指定される、請求項１に記載の方法。
【請求項３】
前記パケットが正常に復号されたすぐ後に電力節約状態に入ることをさらに備える、請求項１に記載の方法。
【請求項４】
前記パケットが接続状態間欠受信（Ｃ−ＤＲＸ）サイクルのオン持続時間中に受信される、請求項１に記載の方法。
【請求項５】
前記パケットがボイスオーバーロングタームエボリューション（ＶｏＬＴＥ）ダウンリンク（ＤＬ）トラフィックを備える、請求項１に記載の方法。
【請求項６】
前記パケットが物理ダウンリンク共有チャネル（ＰＤＳＣＨ）上で受信される、請求項１に記載の方法。
【請求項７】
前記ＮＡＣＫメッセージを送信した後に前記パケットの再送信を受信すること、ここにおいて、前記再送信されたパケットが、前記パケットのコンテンツとは異なるコンテンツを備える第２のパケットとバンドルされる、
をさらに備える、請求項１に記載の方法。
【請求項８】
ワイヤレス通信のための装置であって、前記装置は、
前記装置が半永続的スケジューリング（ＳＰＳ）モードにあるとき、間欠受信（ＤＲＸ）サイクルのオン持続時間中に、パケットを受信するための手段と、
前記パケットが正常に復号されないとき、否定応答（ＮＡＣＫ）メッセージを送信するための手段と、
前記パケットが正常に復号されたとき、肯定応答（ＡＣＫ）メッセージを送信することを控えるための手段と、ここにおいて、前記装置がそれのカバレージエリアのエッジに対して遠位に位置するとき、前記パケットが、バンドルされたサブフレーム中で受信される、
を備える、装置。
【請求項９】
前記パケットがユニキャストメッセージ中で前記装置にアドレス指定される、請求項８に記載の装置。
【請求項１０】
前記パケットが正常に復号されたすぐ後に電力節約状態に入るための手段をさらに備える、請求項８に記載の装置。
【請求項１１】
前記パケットが接続状態間欠受信（Ｃ−ＤＲＸ）サイクルのオン持続時間中に受信される、請求項８に記載の装置。
【請求項１２】
前記パケットがボイスオーバーロングタームエボリューション（ＶｏＬＴＥ）ダウンリンク（ＤＬ）トラフィックを備える、請求項８に記載の装置。
【請求項１３】
前記パケットが物理ダウンリンク共有チャネル（ＰＤＳＣＨ）上で受信される、請求項８に記載の装置。
【請求項１４】
前記ＮＡＣＫメッセージを送信した後に前記パケットの再送信を受信するための手段、ここにおいて、前記再送信されたパケットが、前記パケットのコンテンツとは異なるコンテンツを備える第２のパケットとバンドルされる、
をさらに備える、請求項８に記載の装置。
【請求項１５】
コンピュータプログラム製品であって、
請求項１〜７のうちのいずれか一項のステップを実行するためのコードを備えるコンピュータ可読媒体
を備える、コンピュータプログラム製品。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
スケジューリングエンティティにおいて動作可能なワイヤレス通信の方法であって、
データチャネル上で第1の伝送時間間隔(TTI)を利用してワイヤレスデバイスと通信するステップと、
前記第1のTTIの間に前記ワイヤレスデバイスから送信された制御チャネル上の情報を受信するステップであって、前記情報が、前記ワイヤレスデバイスが遭遇した干渉に関する、ステップと、
前記情報に応答して、前記ワイヤレスデバイスとの前記通信を中断すること、または前記干渉により前記ワイヤレスデバイスとの前記通信に対応する変調およびコーディング方式(MCS)を修正することのうちの1つを実行するステップと
を含み、
前記制御チャネル上で受信された前記情報が、前記第1のTTIよりも持続時間が短い第2のTTIを利用し、前記第2のTTIが前記第1のTTIの一部分と重複する、ワイヤレス通信の方法。
【請求項２】
前記制御チャネルが、前記データチャネルと周波数が分離されている、請求項1に記載の方法。
【請求項３】
前記情報が、チャネル品質インジケータ(CQI)、前記干渉に関する持続性情報、前記干渉の周波数、前記干渉の電力、または前記干渉に対応する空間情報のうちの少なくとも1つを含む、請求項1に記載の方法。
【請求項４】
前記ワイヤレスデバイスとの前記通信の前記中断の間に、1つまたは複数の他のワイヤレスデバイスとの通信をスケジュールするステップ
をさらに含む、請求項1に記載の方法。
【請求項５】
スケジューリングエンティティにおいて動作可能なワイヤレス通信の方法であって、
データチャネル上で第1の伝送時間間隔(TTI)を利用してワイヤレスデバイスと通信するステップと、
前記ワイヤレスデバイスとの前記通信を妨げる干渉を検出するステップと、
前記第1のTTIの間に制御チャネル上で前記干渉に関する情報を送信するステップであって、前記情報が前記第1のTTIよりも持続時間が短い第2のTTIを利用して送信される、ステップと
を含む、ワイヤレス通信の方法。
【請求項６】
前記情報が、チャネル品質インジケータ(CQI)、前記干渉に関する持続性情報、前記干渉の周波数、前記干渉の電力、または前記干渉に対応する空間情報のうちの少なくとも1つを含む、請求項5に記載の方法。
【請求項７】
前記干渉に関する前記情報の前記送信に応答して、前記ワイヤレスデバイスとの前記通信を中断するステップをさらに含む、請求項5に記載の方法。
【請求項８】
データチャネル上で第1の伝送時間間隔(TTI)を利用してワイヤレスデバイスと通信するための手段と、
前記第1のTTIの間に前記ワイヤレスデバイスから送信された制御チャネル上の情報を受信するための手段であって、前記情報が、前記ワイヤレスデバイスが遭遇した干渉に関する、手段と、
前記情報に応答して、前記ワイヤレスデバイスとの前記通信を中断すること、または前記干渉により前記ワイヤレスデバイスとの前記通信に対応する変調およびコーディング方式(MCS)を修正することのうちの1つを実行するための手段と
を備え、
前記制御チャネル上で受信された前記情報が、前記第1のTTIよりも持続時間が短い第2のTTIを利用し、前記第2のTTIが前記第1のTTIの一部分と重複する、ワイヤレス通信用の装置。
【請求項９】
前記制御チャネルが、前記データチャネルと周波数が分離されている、請求項8に記載の装置。
【請求項１０】
前記情報が、チャネル品質インジケータ(CQI)、前記干渉に関する持続性情報、前記干渉の周波数、前記干渉の電力、または前記干渉に対応する空間情報のうちの少なくとも1つを含む、請求項8に記載の装置。
【請求項１１】
前記ワイヤレスデバイスとの前記通信の前記中断の間に、1つまたは複数の他のワイヤレスデバイスとの通信をスケジュールするための手段
をさらに備える、請求項8に記載の装置。
【請求項１２】
データチャネル上で第1の伝送時間間隔(TTI)を利用してワイヤレスデバイスと通信するための手段と、
前記ワイヤレスデバイスとの前記通信を妨げる干渉を検出するための手段と、
前記第1のTTIの間に制御チャネル上で前記干渉に関する情報を送信するための手段であって、前記情報が前記第1のTTIよりも持続時間が短い第2のTTIを利用して送信される、手段と
を備える、ワイヤレス通信用の装置。
【請求項１３】
前記情報が、チャネル品質インジケータ(CQI)、前記干渉に関する持続性情報、前記干渉の周波数、前記干渉の電力、または前記干渉に対応する空間情報のうちの少なくとも1つを含む、請求項12に記載の装置。
【請求項１４】
前記干渉に関する前記情報の前記送信に応答して、前記ワイヤレスデバイスとの前記通信を中断するための手段をさらに備える、請求項12に記載の装置。
【請求項１５】
実行されると、請求項1から4および/または5から7のいずれか一項に記載の方法をコンピュータに行わせるための命令を備える、コンピュータ実行可能コードを記憶するコンピュータ可読記憶媒体。
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
イベント通知に基づいてコマンドをトリガするための方法であって、
制御デバイスにおいて、第1のデバイス上でサポートされるイベント通知を識別するステップと、
前記制御デバイスにおいて、第2のデバイス上でサポートされるコマンドを識別するステップと、
前記制御デバイスにおいて、前記第1のデバイス上でサポートされる前記イベント通知を前記第2のデバイス上でサポートされる前記コマンドにリンクするトリガを定義するステップであって、前記定義されたトリガは、前記第1のデバイスが前記識別されたイベント通知をブロードキャストしたことに応答して、前記識別されたコマンドを前記第2のデバイスに実行させる、ステップとを含む方法。
【請求項２】
前記制御デバイスにおいて、前記第1のデバイス上でサポートされる前記イベント通知を前記第2のデバイス上でサポートされる前記コマンドにリンクする前記トリガを記憶するステップと、
前記制御デバイスにおいて、前記第1のデバイスから、前記識別されたイベント通知を含むブロードキャストを検出するステップと、
前記識別されたイベント通知を含む前記ブロードキャストを検出したことに応答して、前記記憶されたトリガに関連する前記コマンドを前記第2のデバイスに実行させるメッセージを前記制御デバイスから前記第2のデバイスに送信するステップとを含む、請求項1に記載の方法。
【請求項３】
前記第1のデバイス上でサポートされる前記イベント通知を前記第2のデバイス上でサポートされる前記コマンドにリンクする前記トリガを前記制御デバイスから前記第1のデバイスに送信するステップであって、前記送信されたトリガは、前記第1のデバイスが前記識別されたイベント通知をブロードキャストするときに、前記第1のデバイスに前記第2のデバイス上の前記コマンドを起動させる、ステップをさらに含む、請求項1に記載の方法。
【請求項４】
前記制御デバイスによって、前記第2のデバイス上の前記定義されたトリガに関連するリスナーを構成するステップであって、前記構成済みのリスナーは、前記第2のデバイスに、前記識別されたイベント通知をリッスンさせ、かつ前記第1のデバイスが前記識別されたコマンドにリンクされた前記イベント通知をブロードキャストしたことを検出したことに応答して前記識別されたコマンドを実行させる、ステップをさらに含む、請求項1に記載の方法。
【請求項５】
前記制御デバイスにおいて、前記第1のデバイス上でサポートされる前記イベント通知を第3のデバイス上でサポートされる第2のコマンドにリンクする第2のトリガを定義するステップであって、前記第2のトリガは、前記第1のデバイスが前記識別されたイベント通知をブロードキャストしたことに応答して、前記第2のコマンドを前記第3のデバイスに実行させる、ステップをさらに含む、請求項1に記載の方法。
【請求項６】
前記トリガを定義するステップは、
前記第2のデバイス上でサポートされる前記コマンドと矛盾する1つまたは複数のコマンドに前記識別されたイベント通知をリンクする1つまたは複数の既存のトリガを非アクティブ化するステップをさらに含む、請求項1に記載の方法。
【請求項７】
前記制御デバイス、前記第1のデバイス、および前記第2のデバイスは、近接度ベースのデバイス間プロトコルを使用してワイヤレスに通信するか、または、
前記第1のデバイスおよび前記第2のデバイスは、モノのインターネット(IoT)デバイスを備える、請求項1に記載の方法。
【請求項８】
イベント通知に基づいてコマンドをトリガするための制御デバイスであって、
第1のデバイス上でサポートされるイベント通知を識別するための手段と、
第2のデバイス上でサポートされるコマンドを識別するための手段と、
前記第1のデバイス上でサポートされる前記イベント通知を前記第2のデバイス上でサポートされる前記コマンドにリンクするトリガを定義するための手段であって、前記定義されたトリガは、前記第1のデバイスが前記識別されたイベント通知をブロードキャストしたことに応答して、前記識別されたコマンドを前記第2のデバイスに実行させる、手段とを備える制御デバイス。
【請求項９】
前記第1のデバイス上でサポートされる前記イベント通知を前記第2のデバイス上でサポートされる前記コマンドにリンクする前記トリガを記憶するための手段と、
前記第1のデバイスから、前記識別されたイベント通知を含むブロードキャストを検出するための手段と、
前記識別されたイベント通知を含む前記ブロードキャストを検出したことに応答して、前記記憶されたトリガに関連する前記コマンドを前記第2のデバイスに実行させるメッセージを前記制御デバイスから前記第2のデバイスに送信する手段とを備える、請求項8に記載の制御デバイス。
【請求項１０】
前記第1のデバイス上でサポートされる前記イベント通知を前記第2のデバイス上でサポートされる前記コマンドにリンクする前記トリガを前記第1のデバイスに送信するための手段であって、前記送信されたトリガは、前記第1のデバイスが前記識別されたイベント通知をブロードキャストするときに、前記第1のデバイスに前記第2のデバイス上の前記コマンドを起動させる、手段をさらに備える、請求項8に記載の制御デバイス。
【請求項１１】
前記第2のデバイス上の前記定義されたトリガに関連するリスナーを構成するための手段であって、前記構成済みのリスナーは、前記第2のデバイスに、前記識別されたイベント通知をリッスンさせ、かつ前記第1のデバイスが前記識別されたコマンドにリンクされた前記イベント通知をブロードキャストしたことを検出したことに応答して前記識別されたコマンドを実行させる、手段をさらに備える、請求項8に記載の制御デバイス。
【請求項１２】
前記第1のデバイス上でサポートされる前記イベント通知を第3のデバイス上でサポートされる第2のコマンドにリンクする第2のトリガを定義するための手段であって、前記第2のトリガは、前記第1のデバイスが前記識別されたイベント通知をブロードキャストしたことに応答して、前記第2のコマンドを前記第3のデバイスに実行させる、手段をさらに備える、請求項8に記載の制御デバイス。
【請求項１３】
前記トリガを定義するための前記手段は、
前記第2のデバイス上でサポートされる前記コマンドと矛盾するコマンドに前記識別されたイベント通知をリンクする1つまたは複数の既存のトリガを非アクティブ化するための手段、または、
近接度ベースのデバイス間プロトコルを使用して前記第1のデバイスおよび前記第2のデバイスと通信するための手段
をさらに備える、請求項8に記載の制御デバイス。
【請求項１４】
イベント通知を識別するための手段と、
コマンドを識別するための手段と、
トリガを定義するための手段と、
を提供するように構成された1つまたは複数のプロセッサを備える装置。
【請求項１５】
コンピュータ実行可能命令を記録した非一時的コンピュータ可読記憶媒体であって、コンピュータ上で前記コンピュータ実行可能命令を実行することによって、前記コンピュータに、請求項1乃至7の何れか1項に記載の方法を実施させる、コンピュータ可読記憶媒体。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
基板の表面上に誘電体材料を形成するシステムであって、
メインフレームと、
少なくとも１つの大気ロボットを含み、１つ以上の基板カセットを受け取るように構成されるファクトリインターフェースと、
前記メインフレームに連結され、前記ファクトリインターフェースの前記少なくとも１つの大気ロボットから１つ以上の基板を受け取るように構成されるロードロックチャンバと、
各々が前記メインフレームに連結される複数の流動性ＣＶＤ堆積チャンバと、
前記ファクトリインターフェースに連結されたバッチ処理チャンバと
を備え、前記バッチ処理チャンバは、
前記少なくとも１つの大気ロボットから基板を受け取り、前記大気ロボットから受け取った前記基板に硬化プロセスを実施するように、各々が構成される複数のサブ処理領域と、
前記バッチ処理チャンバの壁に形成されたローディング開口と、
複数のスロット開口を含み、前記ローディング開口を覆って配置されるカバープレートと
を備え、前記複数のスロット開口の各々が、前記少なくとも１つの大気ロボットに、前記バッチ処理チャンバの外側の位置から前記複数のサブ処理領域の１つにアームを伸ばすことを可能にさせるように構成され、前記複数のスロット開口の各々が、前記ローディング開口が開いている場合、前記ローディング開口のフリーエリアを減少させるように構成される、
システム。
【請求項２】
前記複数のスロット開口の各々が、前記複数のサブ処理領域の１つに対応する、請求項１に記載のシステム。
【請求項３】
前記複数のスロット開口の各々が、前記複数のサブ処理領域のうちの対応するサブ処理領域と整列している、請求項２に記載のシステム。
【請求項４】
前記ローディング開口が、複数の硬化ステーション又は前記ファクトリインターフェースに対して前記ローディング開口を位置決めし直すことなく、前記複数の硬化ステーションの各々の中に基板がロードされることを可能にするように構成される、請求項１に記載のシステム。
【請求項５】
前記複数の流動性ＣＶＤ堆積チャンバが、ＣＶＤプロセスによって基板上に流動性誘電体層を堆積させるように、各々構成される、請求項１に記載のシステム。
【請求項６】
前記複数のサブ処理領域が、スタックアレイで配列され、前記ローディング開口が、２次元で前記スタックアレイに広がるように構成される、請求項１に記載のシステム。
【請求項７】
前記ファクトリインターフェースが、前記バッチ処理チャンバ内で処理される前に、前記バッチ処理チャンバの外側で基板を一時的に保管するように構成された少なくとも１つの大気保持ステーションを更に含む、請求項１に記載のシステム。
【請求項８】
前記バッチ処理チャンバ内の前記複数のサブ処理領域の各々が、加熱された基板ペデスタルとシャワーヘッドの間に配置される、請求項１に記載のシステム。
【請求項９】
前記シャワーヘッドが、前記サブ処理領域に配置された基板にプロセスガスを独立に供給するように構成される、請求項８に記載のシステム。
【請求項１０】
前記加熱された基板ペデスタルが、処理中に前記サブ処理領域に配置された基板を独立に加熱するように構成される、請求項８に記載のシステム。
【請求項１１】
バッチ処理チャンバであって、
大気ロボットから基板を受け取り、前記大気ロボットから受け取った前記基板に硬化プロセスを実施するように、各々が構成される複数のサブ処理領域と、
バッチ処理チャンバの壁に形成されたローディング開口と、
複数のスロット開口を含み、前記ローディング開口を覆って配置されたカバープレートと
を備え、前記スロット開口の各々が、少なくとも１つの大気ロボットに、前記バッチ処理チャンバの外側の位置から前記複数のサブ処理領域の１つにアームを伸ばすことを可能にさせるように構成され、前記複数のスロット開口の各々が、前記ローディング開口が開いている場合、前記ローディング開口のフリーエリアを減少させるように構成される、
バッチ基板処理チャンバ。
【請求項１２】
前記複数のスロット開口の各々が、前記複数のサブ処理領域の１つに対応する、請求項１１に記載のバッチ処理チャンバ。
【請求項１３】
前記複数のスロット開口の各々が、前記複数のサブ処理領域のうちの対応するサブ処理領域と整列している、請求項１２に記載のバッチ処理チャンバ。
【請求項１４】
前記ローディング開口が、複数の硬化ステーションに対して前記ローディング開口を位置決めし直すことなく、前記複数の硬化ステーションの各々の中に基板がロードされることを可能にするように構成される、請求項１１に記載のバッチ処理チャンバ。
【請求項１５】
前記バッチ処理チャンバ内の前記複数のサブ処理領域の各々が、加熱された基板ペデスタルとシャワーヘッドの間に配置される、請求項１１に記載のバッチ処理チャンバ。
【手続補正書】
【提出日】平成30年5月31日(2018.5.31)
【手続補正１】
【補正対象書類名】明細書
【補正対象項目名】００１６
【補正方法】変更
【補正の内容】
【００１６】
エッジコンタクトパッド２１０と同様に、裏側コンタクトパッド５１０は、ねじ５０６を使用して、エンドエフェクタ５００の支持部材５０２に結合されてもよい。ねじ５０６は、ねじと裏側コンタクトパッド５１０との間のいかなる空隙の通気をも容易にするために通気孔が設けられてもよい。図示されていないが、図３および図４に表されたのと同様のシムを使用して、確実に、配置されたときに基板１５０の高さを適切に合わせるように、裏側コンタクトパッド５１０のいずれかを上昇させることができる。
このように、基板上の粒子生成を回避するための改善された装置および材料が本明細書で開示された。本発明の装置によって、プロセスステップ間での基板のハンドリング中、およびプロセスチャンバ内部で基板を支持している間などの製造プロセス中の、基板上に蓄積される汚染の低減または防止を有利に行うことができ、したがって汚染物質の発生が基板の表側に達し、デバイスの性能低下および／または歩留り損失を引き起こすのを防ぐあるいは低減させることができる。
【手続補正２】
【補正対象書類名】図面
【補正対象項目名】図２
【補正方法】変更
【補正の内容】
【図２】
2017522738.tif 000001
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
複数のピクチャを含むビデオデータを符号化する方法であって、
予測ユニットを生成するために前記複数のピクチャのうちの1つのピクチャのブロックに対してイントラピクチャ予測を実行するステップであって、
イントラブロックコピー予測に関する、コーディングツリーユニット(CTU)からの参照ブロックを選択するステップであって、前記参照ブロックが複数の予測ブロックから選択され、双予測を用いて符号化された前記CTUからの予測ブロックは、双予測を用いて符号化された前記ブロックのサイズがしきい値に満たないときに前記参照ブロックとしての選択から除外される、選択するステップと、
前記予測ユニットを生成するために前記選択された参照ブロックを用いてイントラブロックコピー予測を実行するステップと
を含む、実行するステップと、
前記実行されたイントラピクチャ予測に基づいて前記予測ユニットを符号化するシンタックス要素を生成するステップと
を含む、方法。
【請求項２】
インター予測を用いて符号化された前記複数のブロックが、前記CTUからのさらなるブロックを符号化するための前記参照ブロックとしての選択から除外される、請求項1に記載の方法。
【請求項３】
インター予測を用いて符号化されたブロックのサイズがしきい値に満たないとき、インター予測を用いて符号化された前記ブロックが前記参照ブロックとしての選択から除外される、請求項2に記載の方法。
【請求項４】
代理参照ブロックがパディング方式を使用して生成され、前記イントラブロックコピー予測を実行するステップが、前記代理参照ブロックを前記選択された参照ブロックとして使用するステップを含む、請求項1に記載の方法。
【請求項５】
前記CTUが双予測を用いて生成された予測ブロックを有するかどうかを決定するステップであって、前記CTUからの特定のブロックが、前記CTUが双予測を用いて生成された前記予測ブロックを有することに少なくとも部分的に応じて、前記参照ブロックとしての選択から除外される、決定するステップをさらに含む、請求項1に記載の方法。
【請求項６】
前記CTUに関する予測サンプルの量を生成するステップであって、予測サンプルの前記量が双予測によって生成される、生成するステップと、
前記CTUからの、双予測を用いて符号化されたブロックのサイズを決定するステップであって、
前記CTUが、サンプルしきい値を超える、双予測を用いて生成された予測サンプルの量を有すること、
双予測を用いて符号化された前記ブロックの前記サイズがサイズしきい値に満たないこと、および
前記CTUが、前記サンプルしきい値を超える、双予測を用いて生成された予測サンプルの量を有し、双予測を用いて符号化された前記ブロックの前記サイズが前記サイズしきい値に満たないこと
のうちの少なくとも1つまたは複数に応じて、
双予測を用いて符号化された前記ブロックが前記参照ブロックとしての選択から除外される、決定するステップをさらに含む、請求項1に記載の方法。
【請求項７】
1つまたは複数のブロックに関する適応動きベクトル解像度(AMVR)を実行するステップと、
双予測を用いて符号化された前記CTUからのブロックのサイズを決定するステップであって、
双予測を用いて符号化された前記ブロックの前記サイズがサイズしきい値に満たないことと、
前記AMVRが双予測を用いて符号化された前記ブロックに関して無効化されているという表示を受信すること
の両方の組合せに少なくとも部分的に応じて、双予測を用いて符号化された前記ブロックが前記参照ブロックとしての選択から除外される、決定するステップと
をさらに含む、請求項1に記載の方法。
【請求項８】
前記組合せが、異なる参照ユニットおよび異なる動きベクトルのうちの少なくとも1つを有する、双予測を用いて符号化された前記ブロックをさらに含む、請求項7に記載の方法。
【請求項９】
インター予測を使用して符号化された前記複数のブロックを含む探索エリアを決定するステップであって、前記探索エリアが、
ピクチャタイプ、
スライスタイプ、および
区分サイズ
のうちの少なくとも1つに部分的に基づいて決定される、決定するステップ
をさらに含む、請求項1に記載の方法。
【請求項１０】
複数のピクチャを含むビデオデータを符号化するための装置であって、
ビデオデータを記憶するように構成されたメモリと、
プロセッサとを含み、前記プロセッサが、
予測ユニットを生成するために前記複数のピクチャのうちの1つのピクチャのブロックに対してイントラピクチャ予測を実行することであって、
イントラブロックコピー予測に関する、コーディングツリーユニット(CTU)からの参照ブロックを選択することであって、前記参照ブロックが前記CTUからの複数の予測ブロックから選択され、双予測を用いて符号化された前記CTU内の予測ブロックは、双予測を用いて符号化された前記ブロックのサイズがしきい値に満たないときに前記参照ブロックとしての選択から除外される、選択することと、
前記予測ユニットを生成するために前記選択された参照ブロックを用いてイントラブロックコピー予測を実行することと
を含む、実行することと、
前記実行されたイントラピクチャ予測に基づいて前記予測ユニットを符号化するシンタックス要素を生成することと
を行うように構成される、装置。
【請求項１１】
インター予測を用いて符号化された前記複数のブロックが、前記CTUからのさらなるブロックを符号化するための前記参照ブロックとしての選択から除外される、請求項10に記載の装置。
【請求項１２】
前記イントラピクチャ予測を実行することが、パディング方式を使用して代理参照ブロックを生成することをさらに含み、前記イントラブロックコピー予測を実行することが、前記代理参照ブロックを前記選択された参照ブロックとして使用することを含む、請求項10に記載の装置。
【請求項１３】
プロセッサによって実行されるとき、前記プロセッサに、請求項1から9のいずれか一項に記載の方法を実行させる命令を記憶したエンコーダのコンピュータ可読記録媒体。